(57)【要約】【課題】多チャンネルのテレビ放送信号を光伝送するＣＡＴＶシステムにおいて、テレビ放送信号のチャンネル数が増加しても、端末側には所望レベルのテレビ放送信号を配信し得るヘッドエンド装置を提供する。【解決手段】ヘッドエンド装置である光送信機１０には、地上波テレビ放送信号からなるＣＡＴＶ信号、放送衛星及び通信衛星からのテレビ放送信号（ＢＳ・ＣＳ信号）が入力される。光送信機１０内では、その入力信号が、分波器１２にてＣＡＴＶ信号とＢＳ・ＣＳ信号とに分波され、分波後の各信号は、それぞれ、増幅器１４、１５にて所定レベルまで増幅された後、Ｅ／Ｏ変換器１６、１８にて光信号に変換され、伝送用の光ファイバ２２、２４、光スプリッタ２６、２８を介して、加入者宅まで伝送される。【選択図】図１
2015070510.tif 000002
【特許請求の範囲】
【請求項１】
光伝送方式のＣＡＴＶシステムにおいて、多チャンネルのテレビ放送信号を光信号に変換して端末側に出力するヘッドエンド装置であって、
前記多チャンネルのテレビ放送信号を複数系統に分波又は分配する信号分割手段と、
前記信号分割手段にて分波又は分配された各系統のテレビ放送信号を、それぞれ、光信号に変換する複数の電気／光変換器と、
を備えたことを特徴とするヘッドエンド装置。
【請求項２】
前記複数の電気／光変換器は、それぞれ、同一波長の光信号を発生することを特徴とする請求項１に記載のヘッドエンド装置。
【発明の詳細な説明】
【技術分野】
【０００１】
本発明は、ＣＡＴＶシステムにおいて、多チャンネルのテレビ放送信号を光信号に変換して端末側に出力するヘッドエンド装置に関する。
【背景技術】
【０００２】
従来、ＣＡＴＶシステムの一つとして、多チャンネルのテレビ放送信号を、レーザダイオード等からなる電気／光変換器（Ｅ／Ｏ変換器）を介して光信号に変換し、光ケーブルを介して加入者側の端末装置まで伝送するように構成された、ＦＴＴＨ（Fiber To The Home ）方式やＨＦＣ（Hybrid fiber-coaxial）方式のものが知られている（例えば、特許文献１、２参照）。
【先行技術文献】
【特許文献】
【０００３】
【特許文献１】特開２０１０−１７７９０３号公報
【特許文献２】特開２０１２−２３５３４４号公報
【発明の概要】
【発明が解決しようとする課題】
【０００４】
この種のＣＡＴＶシステムでは、ヘッドエンド装置にて、多チャンネルのテレビ放送信号を一つのＥ／Ｏ変換器にて光信号に変換し、端末側に伝送する。
このため、端末側に伝送するテレビ放送信号のチャンネル数が増加すると、端末側でテレビ放送信号を正常に復調できなくなることが考えられる。
【０００５】
つまり、Ｅ／Ｏ変換器は、多チャンネルのテレビ放送信号からなる電気信号をレーザダイオード等の発光素子に入力することで、発光素子からその電気信号にて振幅変調した光信号を発生させるように構成されるが、光信号の変調度には上限がある。
【０００６】
このため、光伝送すべきテレビ放送信号のチャンネル数が多くなると、変調度を上限以下に抑えるために、１チャンネル当たりのテレビ放送信号の電力量を抑制する必要がある。
【０００７】
しかし、このようにすると、伝送経路での光信号の分配数等にもよるが、端末側でフォトダイオード等からなる光／電気変換器（Ｏ／Ｅ変換器）にて光信号を電気信号に変換した際に、テレビ放送信号の信号レベルが低くなりすぎ、端末側でテレビ放送信号を正常に復調できないことがある。
【０００８】
また、この問題を防止するために、端末側で光信号を電気信号に変換する光受信機（Ｖ−ＯＮＵ）に、変換後のテレビ放送信号を増幅する増幅回路を設けることも考えられるが、このようにすると、光受信機に低受光・高利得型光受信機や無給電型のものを利用することができない。
【０００９】
そして、光受信機に無給電型のものを利用できない場合には、単に光受信機のコストアップを招くだけでなく、加入者側に、光受信機に電源供給を行う機器を設置しなければならず、加入者の負担が大きくなるという問題が生じる。
【００１０】
本発明は、こうした問題に鑑みなされたものであり、多チャンネルのテレビ放送信号を光伝送するＣＡＴＶシステムにおいて、テレビ放送信号のチャンネル数が増加しても、端末側には所望レベルのテレビ放送信号を配信し得るヘッドエンド装置を提供することを目的とする。
【課題を解決するための手段】
【００１１】
かかる目的を達成するためになされた請求項１に記載の発明は、
光伝送方式のＣＡＴＶシステムにおいて、多チャンネルのテレビ放送信号を光信号に変換して端末側に出力するヘッドエンド装置であって、
前記多チャンネルのテレビ放送信号を複数系統に分波又は分配する信号分割手段と、
前記信号分割手段にて分波又は分配された各系統のテレビ放送信号を、それぞれ、光信号に変換する複数の電気／光変換器と、
を備えたことを特徴とする。
【００１２】
また、請求項２に記載の発明は、請求項１に記載のヘッドエンド装置において、
前記複数の電気／光変換器は、それぞれ、同一波長の光信号を発生することを特徴とする。
【発明の効果】
【００１３】
このように、本発明のヘッドエンド装置は、端末側に伝送すべき多チャンネルのテレビ放送信号を、信号分割手段にて複数系統に分波又は分配し、各系統のテレビ放送信号を、それぞれ、各系統の電気／光変換器にて光信号に変換する。
【００１４】
このため、本発明のヘッドエンド装置によれば、テレビ放送信号の分波又は分配により、各系統の電気／光変換器に入力されるテレビ放送信号の総電力量を減らし、各系統の電気／光変換器における光信号の変調度を上限以下に容易に制限することができる。
【００１５】
そして、信号分割手段にてテレビ放送信号を分波するようにした場合には、各系統の電気／光変換器に入力されるテレビ放送信号のチャンネル数を減らすことで、各系統の電気／光変換器に入力可能なテレビ放送信号１チャンネル当たりの電力量を大きくすることができる。
【００１６】
従って、この場合には、端末側で各系統の光信号を電気信号に変換した際に、その電気信号に含まれる各チャンネルのテレビ放送信号の信号レベルが許容レベルよりも低下するのを防止できる。
【００１７】
また、信号分割手段にてテレビ放送信号を分配するようにした場合には、各系統の電気／光変換器に入力されるテレビ放送信号１チャンネル当たりの電力量は減るが、端末側で、各系統の光信号を電気信号に変換した後、その電気信号を混合するようにすれば、その電気信号に含まれる各チャンネルのテレビ放送信号の信号レベルが許容レベルよりも低下するのを防止できる。
【００１８】
また、このように、本発明のヘッドエンド装置によれば、端末側で得られるテレビ放送信号の信号レベルが許容レベルよりも低下するのを防止できることから、端末側に設置する光受信機に、テレビ放送信号を増幅可能な給電型のものを使用する必要がなく、ＣＡＴＶシステムの加入者の負担を軽減できる。
【００１９】
なお、信号分割手段において、端末側に伝送すべき全テレビ放送信号を複数系統に分波する場合、その分波方法としては、周波数により分波する方法、地上波放送、ＢＳ放送、ＣＳ放送、…といった放送方式により分波する方法、放送内容によって分波する方法等、種々の方法が考えられる。
【００２０】
そして、このうち、周波数にて分波する方法を利用すれば、既存の分波器を利用できるので、装置構成を簡単にして、ヘッドエンド装置を低コストで実現できる。
また、各系統の電気／光変換器は、変換後の光信号を、ヘッドエンド装置と端末側の光受信機とを結ぶ光ケーブルに出力することになるが、光信号の出力は、光ケーブルを構成する複数の光ファイバの内、各系統の光信号に割り当てられた光ファイバに対して行うようにしてもよく、或いは、各系統の電気／光変換器が発生する光信号の波長を異なる波長に設定することで、各系統の電気／光変換器から出力される光信号を混合して、各系統共通の光ファイバに出力するようにしてもよい。
【００２１】
そして、各系統の光信号をそれぞれ異なる光ファイバにて伝送する場合には、請求項２に記載のように、各系統の電気／光変換器に、同一波長の光信号を発生するものを利用することができる。
【００２２】
この場合、ＣＡＴＶシステムの加入者側に設ける光受信機においても、同一波長の光信号を受信する光／電気変換器を利用できるので、各加入者側への光受信機の設置及び修理に要する費用を軽減できる。
【図面の簡単な説明】
【００２３】
【図１】実施形態のＣＡＴＶシステム全体の構成を表すブロック図である。
【図２】ＣＡＴＶシステムの変形例を表すブロック図である。
【発明を実施するための形態】
【００２４】
以下に本発明の実施形態を図面と共に説明する。
図１に示すように、本実施形態のＣＡＴＶシステムにおいては、ヘッドエンド側に、放送衛星（ＢＳ）、通信衛星（ＣＳ）、及び、地上局からのテレビ放送信号を受信する受信アンテナ（パラボラアンテナ２、４及びＵＨＦアンテナ６）と、ヘッドエンド装置としての光送信機１０とが設置されている。
【００２５】
光送信機１０には、ＵＨＦアンテナ６にて受信された地上波のテレビ放送信号に自主放送用のテレビ放送信号を加えたＣＡＴＶ信号、パラボラアンテナ２にて受信されたテレビ放送信号（ＢＳ信号）、及び、パラボラアンテナ４にて受信されたテレビ放送信号（ＣＳ）が、同軸ケーブル８を介して入力される。なお、ＣＡＴＶ信号、ＢＳ信号及びＣＳ信号を構成するテレビ放送信号は、全て、周波数が異なる。
【００２６】
そして、光送信機１０内では、その入力信号が、分波器１２にて周波数分割されることにより、ＣＡＴＶ信号とＢＳ・ＣＳ信号とに分波され、分波後の各信号は、増幅器１４、１５にて所定レベルまで増幅される。
【００２７】
増幅器１４にて所定レベルまで増幅されたＣＡＴＶ信号は、レーザダイオード等からなる電気／光変換器（Ｅ／Ｏ変換器）１６にて光信号に変換され、伝送用の光ファイバ２２に出力される。
【００２８】
また、増幅器１５にて所定レベルまで増幅されたＢＳ・ＣＳ信号も、レーザダイオード等からなるＥ／Ｏ変換器１８にて、光信号に変換され、伝送用の光ファイバ２４に出力される。なお、Ｅ／Ｏ変換器１６、１８は、構成が同じであり、同一波長の光信号を発生する。
【００２９】
光ファイバ２２、２４は、光ケーブル２０を構成する一つの光ファイバであり、光ケーブル２０を介して、テレビ放送信号の配信対象となる地域にまで上記各光信号をそれぞれ伝送する。
【００３０】
そして、各光ファイバ２２、２４の末端には、それぞれ、光信号を複数に分配する光スプリッタ２６、２８が設けられ、その分配された光信号は、端末側の光ファイバを介して、各加入者の住宅３０、４０…等に伝送される。
【００３１】
このように、本実施形態のＣＡＴＶシステムにおいては、ヘッドエンド装置としての光送信機１０にて、端末側に伝送すべきＣＡＴＶ・ＢＳ・ＣＳの多チャンネルのテレビ放送信号を、分波器１２にて２系統に周波数分割する。
【００３２】
そして、光送信機１０内では、その分割したＣＡＴＶ信号及びＢＳ・ＣＳ信号が、それぞれ、増幅器１４、１５にて所定レベルまで増幅され、さらに、Ｅ／Ｏ変換器１６、１８にて光信号に変換された後、光ケーブル２０を構成する光ファイバ２２、２４及び光スプリッタ２６、２８を介して、各加入者の住宅３０、４０…まで伝送される。
【００３３】
従って、本実施形態のＣＡＴＶシステムにおいては、端末側に伝送すべき全チャンネルのテレビ放送信号を一つのＥ／Ｏ変換器にて光信号に変換する従来システムに比べて、Ｅ／Ｏ変換器１６、１８に入力されるテレビ放送信号のチャンネル数を少なくし、Ｅ／Ｏ変換器１６、１８に入力可能な１チャンネル当たりのテレビ放送信号の電力量を大きくすることができる。
【００３４】
このため、端末側でＣＡＴＶ信号及びＢＳ・ＣＳ信号の光信号を電気信号に変換した際、その電気信号に含まれるテレビ放送信号１チャンネル当たりの信号レベルが低くなるのを防止できる。
【００３５】
よって、本実施形態のＣＡＴＶシステムによれば、例えば、図１に示す住宅３０のように、各加入者宅では、２つの光／電気変換器（Ｏ／Ｅ変換器）３４、３６と混合器３８とにより構成され、テレビ放送信号の増幅器を備えていない無給電型の光受信機３２を用いて、ＣＡＴＶ・ＢＳ・ＣＳ信号を復元し、テレビ端末３９に入力することで、所望のテレビ放送を視聴することができるようになる。
【００３６】
また、例えば、図１に示す住宅４０のように、ＣＡＴＶ信号を分配器４８にて複数のテレビ端末４９に分配したい場合には、光スプリッタ２６から伝送されてくる光信号を、Ｏ／Ｅ変換器４４と増幅器４６とから構成される光受信機４２に入力することで、ＣＡＴＶ信号を復元して増幅するようにすればよい。
【００３７】
なお、この場合、光スプリッタ２８から伝送されてくる光信号については、一つのＯ／Ｅ変換器だけで構成される光受信機５０に入力することで、ＢＳ・ＣＳ信号を復元するようにすればよい。
【００３８】
つまり、本実施形態のＣＡＴＶシステムによれば、端末側でＯ／Ｅ変換器を用いて復元されるテレビ放送信号の信号レベルが低くなるのを防止できるので、各加入者宅では、光受信機３２、５０のように、増幅器を内蔵していない（換言すれば電源供給が必要のない）無給電型の光受信機を用いることができる。
【００３９】
また、本実施形態では、光送信機１０に設けられるＥ／Ｏ変換器１６、１８が同一波長の光信号を発生することから、端末側の光受信機３２、４２、５０に設けられるＯ／Ｅ変換器についても共通化することができ、この共通化により光受信機３２、４２、５０の設置時の費用及びその修理・交換に要する費用を軽減できる。
【００４０】
以上、本発明の一実施形態について説明したが、本発明は、上記実施形態に限定されるものではなく、本発明の要旨を逸脱しない範囲内にて、種々の態様をとることができる。
例えば、上記実施形態では、光送信機１０に設けられるＥ／Ｏ変換器１６、１８は同一波長の光信号を発生する発光素子（レーザダイオード）にて構成されているものとして説明したが、光送信機１０に設ける複数のＥ／Ｏ変換器には、それぞれ、異なる波長の光信号を発生するものを使用してもよい。
【００４１】
そして、この場合には、各Ｅ／Ｏ変換器から出力される波長の光信号を混合して、１つの光ファイバに入力することで、各系統の光信号を１つの光ファイバにて多重伝送することができる。
【００４２】
但し、この場合、端末側には、光ファイバにて伝送されてきた各系統の光信号を分波し、各波長の光信号をそれぞれ電気信号に変換可能な複数種類のＯ／Ｅ変換器を設ける必要がある。
【００４３】
また上記実施形態において、光送信機１０に設ける分波器１２は、多数のテレビ放送信号からなる入力信号を、ＣＡＴＶ信号と、これよりも周波数の高いＢＳ・ＣＳ信号とに分波するものとして説明したが、その分波数は３若しくはそれ以上であってもよい。
【００４４】
また、入力信号を分波する際には、単に周波数に基づき分波するのではなく、例えば、テレビ放送信号の信号形態（換言すれば放送方式）により分波するようにしてもよく、或いは、予め設定されたチャンネル毎（換言すれば放送種別毎）に分波するようにしてもよい。
【００４５】
また次に、上記実施形態では、ヘッドエンド装置である光送信機１０において、端末側への伝送信号を分波器１２にてＣＡＴＶ信号とＢＳ・ＣＳ信号とに分波し、その分波した各信号を、それぞれ、Ｅ／Ｏ変換器１６、１８にて光信号に変換するものとして説明したが、図２に示すように、光送信機１０には、分波器１２に代えて分配器１３を設け、端末側への伝送信号を分配器１３にて２分配するようにしてもよい。
【００４６】
つまり、このようにすれば、光送信機１０を一つのＥ／Ｏ変換器にて構成した場合に比べて、Ｅ／Ｏ変換器１６、１８に入力される伝送信号の電力を１／２にして、Ｅ／Ｏ変換器１６、１８での光信号の変調度を低減することができる。
【００４７】
そして、この場合、端末側では、光送信機１０から光ケーブル２０、光スプリッタ２６、２８等を介して伝送されてきた光信号を、それぞれ、光受信機３２に入力し、光受信機３２内のＯ／Ｅ変換器３４、３６にて電気信号に変換した後、混合器３８にて混合するようにすれば、変換ロスはあるものの、光送信機１０への入力レベルと略同様の信号レベルを有する伝送信号を復元できる。
【００４８】
よって、光送信機１０を図２に例示するように分波器を用いて構成しても、本発明の所期の目的を達成することができる。
【符号の説明】
【００４９】
２，４…パラボラアンテナ、６…ＵＨＦアンテナ、８…同軸ケーブル、１０…光送信機、１２…分波器、１３…分配器、１４，１５…増幅器、１６，１８…Ｅ／Ｏ変換器、２０…光ケーブル、２２，２４…光ファイバ、２６，２８…光スプリッタ、３０…住宅、３２…光受信機、３４，３６…Ｏ／Ｅ変換器、３８…混合器、３９…テレビ端末、４０…住宅、４２…光受信機、４４…Ｏ／Ｅ変換器、４６…増幅器、４８…分配器、４９…テレビ端末、５０…光受信機。
【図１】
2015070510.tif 000003
【図２】
2015070510.tif 000004